(57)【特許請求の範囲】
【請求項１】
玄米ホッパ（３）に玄米を供給し、コインメック（３３）に料金を供給して精米機（６）で料金応分の精米運転を行うコイン精米機において、前記玄米ホッパ（３）の供給口を開閉する開閉蓋（２２）は、この閉鎖位置をロックするロック機構（２３）を有して、精米運転はこの開閉蓋（２２）を閉鎖位置にロックした状態で行い、料金供給による精米運転の完了後は、玄米ホッパ（３）の残留玄米の検出時、若しくは精米機（６）の前工程にあって玄米を一時貯留する精米ホッパ（２７）の残留玄米検出時に、コインメック（３３）に料金を追加して供給することにより、開閉蓋（２２）をロックした状態のままで精米運転を再開可能とし、
運転再開時の制御におけるコインメック（３３）への追加料金は、追加可能とする限度額が設定されていることを特徴とするコイン精米機。
【発明の詳細な説明】
【技術分野】
【０００１】
この発明は、コイン精米機の運転制御装置に関する。
【背景技術】
【０００２】
一回の精米運転で精米できる玄米量を制限することによって白米ホッパのオーバフロー等を防止するコイン精米機の技術（例えば、特許文献１参照）が知られている。
【先行技術文献】
【特許文献】
【０００３】
【特許文献１】特許２０１０ー３７５５６（第１頁、図１）。
【特許文献２】特開２００３ー１８１３０９（第４頁、図４）。
【発明の概要】
【発明が解決しようとする課題】
【０００４】
コイン精米機において、白米ホッパに取出される白米の量がオーバフローしないようにするために、一回の精米できる玄米量を制限する形態では、料金分の運転時間が経過して自動停止したときに、少量の玄米が玄米ホッパ内に残留する場合がある。
【０００５】
本発明は、このような残留米を合理的に処理することを課題とする。
【課題を解決するための手段】
【０００６】
請求項１に記載の発明は、玄米ホッパ（３）に玄米を供給し、コインメック（３３）に料金を供給して精米機（６）で料金応分の精米運転を行うコイン精米機において、前記玄米ホッパ（３）の供給口を開閉する開閉蓋（２２）は、この閉鎖位置をロックするロック機構（２３）を有して、精米運転はこの開閉蓋（２２）を閉鎖位置にロックした状態で行い、料金供給による精米運転の完了後は、玄米ホッパ（３）の残留玄米の検出時、若しくは精米機（６）の前工程にあって玄米を一時貯留する精米ホッパ（２７）の残留玄米検出時に、コインメック（３３）に料金を追加して供給することにより、開閉蓋（２２）をロックした状態のままで精米運転を再開可能とし、運転再開時の制御におけるコインメック（３３）への追加料金は、追加可能とする限度額が設定されていることを特徴とするコイン精米機の構成とする。
【０００７】
【発明の効果】
【０００８】
請求項１に記載の発明は、精米運転が開始されると玄米ホッパ３の開閉蓋２２は蓋ロック機構２３のロック作動によって開かないため、追加玄米の供給により精米を無制限に行わせて白米ホッパ７がオーバフローすることを防止できる。
【０００９】
しかし、精米運転時間の経過による精米完了後に玄米ホッパ３に玄米が残留するときは、精米料金をコインメック３３に追加供給することによって、玄米ホッパ３を開閉蓋２２で閉鎖した状態のままで精米運転を行わせることができる。このとき玄米ホッパ３に対して玄米の供給を追加することができないため、当初投入した玄米の量も変わらず、従って、白米ホッパ７がオーバフロー状態となることを防止することができる。
【００１０】
また、精米運転完了後に玄米ホッパ３に残留玄米があるときは、追加料金を投入可能とする限度額を設定することで、利用者が必要以上の金額を投入する損失を防止することができる。又、不必要に長時間にわたって空運転状態に放置されることを防止することができる。
【図面の簡単な説明】
【００１１】
【図１】コイン精米機の正面図。
【図２】その外観正面図と、左右側面図、及び平面図。
【図３】その平面図。
【図４】その玄米供給室部の側面図。
【図５】その精米室部の側面図。
【図６】精米工程を示すブロック図。
【図７】その精米制御のブロック図。
【図８】その一部制御のフローチャート。
【図９】その選別排出室部の側面図。
【発明を実施するための形態】
【００１２】
図面に基づいて、箱型の精米筐体１は、内部に石抜機４や、精米機６を主体とする昇降機５や、玄米ホッパ３、白米ホッパ７、除糠用のサイクロン２１、及びこれらに付随するコンベアや、各機駆動用のモータ等が配置される。精米筐体１内は、略左右に区切られて、中央部には精米室１９を形成し、この左手側には玄米供給室２０を、又、右手側には糠室８を形成する。
【００１３】
このうち、玄米供給室２０の下部には、石抜機４を設置し、この上側に玄米ホッパ３を位置させ、玄米ホッパ３の上方には玄米投入室４６を形成し、玄米投入室４６の正面側に玄米投入口２を形成する。玄米投入口２から持込みの玄米袋をのぞませて玄米を玄米ホッパ３に供給する。玄米ホッパ３の上面には手で開閉できる玄米開閉蓋２２を設け、閉鎖状態をロック機構２３によってロック可能の構成としている。
【００１４】
玄米ホッパ３には供給された玄米の有無や、又は玄米量等を検出する玄米センサ２４や、この玄米ホッパ３から直下の石抜機４へ玄米を流下供給させる玄米供給口２５等を設ける。
【００１５】
中央部の精米室１９部には、精米機６の上方に精米ホッパ２７を設けて、昇降機５で揚穀した玄米を収容して精米機６へ供給する。精米ホッパ２７には第二玄米センサ２７ａを設けている。この精米室１９の正面側壁部には機外へ開放する精米取出口２８を形成して、この精米取出口２８の下部に白米ホッパ７を設けて、この白米ホッパ７上に精米機６の精米口２９をのぞませて、この精米口２９から排出される白米を白米ホッパ７内に受けて収容する。この白米ホッパ７の下端にはホッパ口３０を下向きに開口して、このホッパ口３０の下側を受けるようにシュート状に形成した白米取出シャッタ３１をシャッタ軸周りに回動して、前後水平状の閉鎖位置から、前下り傾斜して開口する開口位置へ切替回動するように構成している。この白米取出シャッタ３１は、適宜の深さに形成して、このシャッタ３１底面で受けた白米をこの開口部から袋ホルダに吊下げた袋に流下させて収容することができる。
【００１６】
中央部の精米室１９の白米ホッパ７から上側部には、操作パネル３２を形成し、この操作パネル３２の外側には、コインメック３３や、精米白度を選択指定する白度選択スイッチ３４等が配置され、裏側にコントローラ４８が設けられている。
【００１７】
右手側の糠室８には、精米機６底部のブロワー３５で吸引搬送される糠をサイクロン２１で分離して、この下側に配置の糠袋３６に収容する。この糠袋３６は複数袋前後に配置して、サイクロン２１から補集された糠をオーガ４１で搬送しながら各糠袋３６に収容することができ、各糠袋３６が一杯になると、正面のドア３７を開けて出し入れして袋替作業することができる。
【００１８】
次に精米運転の概要について説明する。
玄米ホッパ３に玄米を供給し、コインメック３３に精米料金を供給して料金応分の精米運転を行うコイン精米機において、玄米ホッパ３の供給口を開閉する開閉蓋２２は、閉鎖位置でロックする蓋ロック機構２３を有して、精米運転はこの開閉蓋２２を閉鎖位置にロックした状態で行い、料金供給による精米運転の完了後は、玄米センサ２４又は第二玄米センサ２７ａの残量玄米の検出によってコインメック３３に精米料金を供給することにより、開閉蓋２２をロックした状態のままで精米運転を再開可能とする運転制御装置の構成とする。
【００１９】
精米運転の順序について図８に基づいて説明すると、精米するときは、まずコインメック３３に精米しようとする玄米量に応じた精米料金（例えば３００円）を供給する。すると開閉蓋２２の蓋ロック機構２３が解除されるため、この開閉蓋２２を開いて、玄米ホッパ３に精米しようとする目的量の玄米（例えば２０キログラム）を供給する。そして開閉蓋２２を閉じるとロック機構２３が作動してロックされ、操作パネルの精白度選択スイッチ３４を選択可能となる。そして、所望の精白度（例えば上白）を選択することによって精米運転が開始される。
【００２０】
玄米ホッパ３の玄米は順次石抜機４に供給され、石抜き処理がなされる。そして、昇降機５を経て精米ホッパ２７で一時貯留される。そして、第二玄米センサ２７ａが玄米有りを検出するとロータリバルブ２７ｂにより精米機６に玄米が供給されて精米運転が開始され、白米ホッパ７に精白米が貯留される。そして、利用者は精米運転が終了すると白米取り出しシャッタ３１を操作して精白米を取り出す。
【００２１】
運転時間中に玄米センサ２４が玄米無しを検出すると終了動作工程に入り、石抜機４の残米処理を行なってから運転終了となる。
この開閉蓋２２は、精米料金に応じた精米時間の運転が終っても閉鎖状態にロックされている。この精米料金に応じた精米運転が完了した後は、玄米ホッパ３内に残留玄米があることを玄米センサ２４が検出するか、又は第二玄米センサ２７ａが精米ホッパ２７内に玄米有りを検出すると、コインメック３３にこの残留玄米量に応じた精米料金を供給したときに、開閉蓋２２を閉鎖ロックした状態のままで精米運転を再開する。この追加料金は投入可能料金、すなわち精米運転開始時に投入できる額より低い限度額又は最小単位の投入金額を上限として設定されている（例えば１００円）。この限度額以上の料金分については受け付けずに返却する。そして追加精米料金分に応じた精米時間が経過すると、この追加の精米運転が停止する。玄米センサ２３又は第二玄米センサによって残留玄米を検出されないときは、精米運転終了と判定し、初期状態に戻る。
【００２２】
このように精米運転は、コインメック３３に投入された精米料金に応じた運転時間にわたって行われて、この精米運転中はもとより運転時間の経過後も玄米ホッパ３の開閉蓋２２は開かないため、玄米の追加供給を行うことはできず、従って、１回の運転で連続して玄米を供給して白米ホッパ７がオーバフローすることを防止できる。そして、精米時間経過により精米運転が完了した後に、玄米ホッパ３内に残留玄米があるときは、これを玄米センサ２４又は第二玄米センサ２７ａで検出すること等によって、この残留量に応じた応分の精米料金をコインメック３３に追加供給することによって、開閉蓋２２を閉めたままの状態で新たに玄米を追加供給することはなく精米運転を再開することができる。
【００２３】
次に石抜機４の詳細構成について説明する。
石抜機４は、小さな揺上突子や、噴気孔等を配置形成した揺動選別盤４３を、揺動リンクで架台上に吊り下げて揺動駆動可能に構成する。この揺動選別盤４３面は、手前正面側の玄米投入口２の側を上位にし、奥側背面側を下位にする状態に、即ち、手前側上りで奥側下がりの形態に傾斜させて設定したものである。
【００２４】
この揺動選別盤４３の下側にはブロワー４４を設けて、このブロワー４４から吹き出す風圧をこの選別盤４３の下側面に噴き当てることによって、揺動選別盤４３の噴気孔からこの選別盤４３面上へ噴風させながら、玄米等の被選別物を浮上させて、これらの揺動選別作用を補助する形態である。
【００２５】
この揺動選別盤４３の上面に供給される玄米を揺動選別することによって、比重選別作用により石礫類が下層に沈み玄米がこの上層に位置される。そしてこの上層部の玄米がこの揺動選別盤４３の傾斜下端部側に形成の玄米選別口部１３へ揺動移動されて排出される。比重の大きい石礫や、この石礫を含む一部の玄米等が傾斜上端側の石選別口部１７、及び残米排出口部１３等の形成される選別排出室５１側へ排出される。
【００２６】
これら石選別口部１７と残米排出口部１３は、同じ位置に形成されていて、抵抗板としての石抜シャッタ４１を選別盤４３面よりも適宜高く突出させることによって、通常の揺動選別時ではこの排出口部１７に選別されてくる石礫類は下層に位置させ、玄米やわら屑等をこの上側の上層部に位置させてた状態となる。このような選別状態では上層部の玄米が増加するに伴って、この選別盤４３の傾斜方向への玄米流動が行われて玄米選別口部１２へ排出されるが、このよう同選別板４３の傾斜上端部側下層部に沈積している石礫類はこの石抜シャッタ４１によって滞留された状態にある。
【００２７】
従って、この石礫を排出するときは、石抜シャッタ４１を短時間にわたって開くことによって、この揺動選別盤４３の傾斜上端縁部に溜っている石礫を選別排出室５１へ取り出すことができる形態である。このときこの石礫層に混入している一部の玄米も一緒に排出される。
【００２８】
このような石抜機４の各選別口部１３、１４、１７の下側には、玄米シュート１５、残米シュート１６、及び石抜シュート１８等を配置する。また、このうちの残米シュート１６と石抜シュート１８との間には切換弁４２を設けて、石抜シャッタ４１の作動によって、選別残米を排出するときは切換弁４２を残米シュート１５側へ流下させるように切り換え、また、石礫を排出するときはこの切換弁４２を石抜シュート１８側へ流下させるように切り換える。
【００２９】
揺動選別盤４３の手前側端部に、石選別口部１７、及び残米排出口部１４の外周部を覆うように形成する選別排出室５１を設け、この選別排出室５１の下部に、切換弁４２が横方向の弁軸５４の周りに前後に回動可能に設けられて、この排出室５１の下方前部に配置の残米シュート１６と、下方後部に配置の石抜シュート１８とに切換えて流下案内する形態である。
【００３０】
揺動選別盤４３上端部の石抜シャッタ４１や、この切換弁４２は、玄米ホッパ３の玄米センサ２４による玄米無しの検出によって、コントローラ４８からの出力により電磁機構等を介して作動される。揺動選別によってこの選別盤４３の上端部に揺り上げられた下層には石礫が沈んで滞溜しているが、石抜シャッタ４１が開かれることによって、この滞溜していた石礫がこの石選別口部１７から選別排出室５１へ排出落下される。このとき切換弁５２は、石抜シュート１８側へ流下案内するように切替えられていて、排出される石礫を石抜室１２の石溜器９内へ流下案内する。このような石抜選別された石礫を排出する排出作用が完了すると、石抜切換弁４２が残米シュート１６側へ流下案内するように切替えられて、石礫排出後の揺動選別盤４３面上を玄米選別口部１３側へ選別されないで、この揺動選別盤４３面上に残留している玄米を、この選別排出室５１へ排出させて、切替弁５２の切替によって、この排出室５１の残米排出口部１４から残米シュート１６を流下させて昇降機５の残米口４７へ供給させる。
【００３１】
残米排出口部１４の下側には、残米シュート１６の入口部に磁石５２を設けて、この残米シュート１６へ流下される残米に混入する金属異物を、この磁石５２に吸着して除去するものである。この磁石５２や、切換弁４２等を設ける排出室５１の手前外側部には、前カバー５３を着脱して、これら磁石５２や、切換弁４２の状況を簡単に点検することができる。
【００３２】
石抜機４の玄米シュート１６に排出される玄米は、この石抜室１２の奥側から右隣に配置の昇降機５の玄米口４５に流入されて、この昇降機５を経て精米室１９の精米ホッパ２７へ揚穀供給される。又、石抜機４の直下には、石抜室１２を適宜の高さに形成して、手前側の引出口１０を上方に位置する玄米投入口２の下方に形成して、この引出口１０を開閉する扉１１を設けている。この石抜室１２内に前後方向へ摺動自在の石溜器９を設けて、石抜シュート１８から落下案内される石礫類を受けて収容する。この石溜器９を引出口１０から手前外側へ引出して石礫の排出処理を行うことができる。
【００３３】
又、残米排出口部１４から残米シュート１６を経て流下される玄米は、昇降機５下端部の手前側に形成の玄米口４７にのぞませて設け、この昇降機５へ流入されて精米機６へ搬送されて精米される形態である。又、昇降機５は、左側の玄米供給室２０と中央部の精米室１９との間の仕切部に位置して構成されて、この玄米供給室２０側の石抜機４から取り出された玄米を受けて揚穀しながら精米室１９側の精米機６へ最短距離で搬送供給する。
【００３４】
石抜機４で石抜選別されて、精米機６で精米された精米は、除糠作用を受けて白米として精米口２９から白米取出シャッタ３１の閉鎖された白米ホッパ７に流下収容される。この精米運転が、供給された精米料金に応じた時間にわたって行われて、この運転時間が経過すると、石抜機４や、精米機６、及び昇降機５等各部装置を自動停止する。
【００３５】
精米運転が行われた後に白米ホッパ７に取出された白米を、このホッパくち３０にのぞませた袋に収容するために、この白米ホッパ７の白米取出シャッタ３１を開操作する。この白米取出シャッタ３１を水平状に回動させてホッパ口３０の下端縁を閉鎖するときは、この白米ホッパ４のホッパ口３０がこの白米取出シャッタ３１のシャッタ底面によって閉鎖されて、白米の流出袋詰供給を行うことができない。
【符号の説明】
【００３６】
１ 箱体
２ 玄米投入口
３ 玄米ホッパ
４ 石抜機
５ 昇降機
６ 精米機
７ 白米ホッパ
８ 糠室
９ 石溜器
１０ 引出口
１１ 扉
１２ 石抜室
１３ 玄米選口部
１４ 残米派出口部
１５ 玄米シュート
１６ 残米シュート
１７ 石抜選別口部
１８ 石抜シュート
１９ 精米室
２０ 玄米供給室
２４ 玄米センサ
４３ 揺動選別盤
４５ 玄米口
４７ 残米口
４９ 台枠
５０ 据付穴
【図１】
0005540976.tif 000002
【図２】
0005540976.tif 000003
【図３】
0005540976.tif 000004
【図４】
0005540976.tif 000005
【図５】
0005540976.tif 000006
【図６】
0005540976.tif 000007
【図７】
0005540976.tif 000008
【図８】
0005540976.tif 000009
【図９】
0005540976.tif 000010